(57)【要約】【課題】インナーケースの見栄えが向上するカップホルダーを提供すること。【解決手段】カップホルダーは、第１〜第４アウター側壁１３〜１６から平面形状が方形に形成され且つ上端が開口させられたアウターケース１０と、第１〜第４インナー側壁２０〜２３から平面形状が方形に形成され且つ上端が開口させられていると共にアウターケース１０内に着脱可能に嵌合されたインナーケース１１と、両ケース１０，１１の開口を開閉する蓋体１２を備えている。また、第３アウター側壁１５に近接して上下に延びる支持突部１７，１７が第２，第４アウター側壁１４，１６にそれぞれ形成され、第３アウター側壁１５に臨む係合凹部１８，１８が支持突部１７，１７の上下方向中間部にそれぞれ形成され、支持突部１７，１７の第３アウター側壁１５とは反対側の面に係合する段差部２１ａ，２３ａが第２，第４インナー側壁１４，１６にそれぞれ形成されていると共に、係合凹部１８，１８に係合する係合突部（弾性片２４，２４）が第２，第４インナー側壁１４，１６にそれぞれ形成されている。【選択図】  図５
2005178495.tif 000002
【特許請求の範囲】
【請求項１】
第１〜第４アウター側壁から平面形状が方形に形成され且つ上端が開口させられたアウターケースと、第１〜第４インナー側壁から平面形状が方形に形成され且つ上端が開口させられていると共に前記アウターケース内に着脱可能に嵌合されたインナーケースと、前記両ケースの前記開口を開閉する蓋体を備えるカップホルダーであって、
前記第３アウター側壁に近接して上下に延びる支持突部が前記第２，第４アウター側壁にそれぞれ形成され、前記第３アウター側壁に臨む係合凹部が前記各支持突部の上下方向中間部にそれぞれ形成され、前記支持突部の前記第３アウター側壁とは反対側の面に係合する段差部が前記第２，第４インナー側壁にそれぞれ形成されていると共に、前記係合凹部に係合する係合突部が前記第２，第４インナー側壁にそれぞれ形成されていることを特徴とするカップホルダー。
【発明の詳細な説明】
【技術分野】
【０００１】
この発明は、飲料容器を保持するのに用いるカップホルダーに関するものである。
【背景技術】
【０００２】
この種のカップホルダーとしては、例えば図９に示したように、平面形状が方形に形成され且つ上端が開口させられたアウターケース１と、平面形状が方形に形成され且つ上端が開口させられていると共にアウターケース１内に着脱可能に嵌合されたインナーケース２と、両ケース１，２の開口を開閉する蓋体３を備えるものが考えられている（例えば、特許文献１参照）。
【０００３】
このカップホルダーでは、インナーケース２をアウターケース１に嵌合したときに、インナーケース２の抜け外れ防止やガタツキ防止のために、インナーケース２の側壁２ａ，２ａに係止穴４，４を形成し、アウターケース１の側壁１ａ，１ａの内面に係止穴４，４に係合させる係止突起５，５を設けることも考えられている。
【特許文献１】特開２００１−１２６９２２号公報
【発明の開示】
【発明が解決しようとする課題】
【０００４】
しかしながら、インナーケース２をアウターケース１から取り外して、インナーケース２を使用する場合、インナーケース１に係止穴４，４が形成されているため、見栄えが損なわれるという問題があった。
【０００５】
そこで、この発明は、インナーケースの見栄えが向上するカップホルダーを提供することを目的とするものである。
【課題を解決するための手段】
【０００６】
この目的を達成するため、請求項１に記載の発明は、第１〜第４アウター側壁から平面形状が方形に形成され且つ上端が開口させられたアウターケースと、第１〜第４インナー側壁から平面形状が方形に形成され且つ上端が開口させられていると共に前記アウターケース内に着脱可能に嵌合されたインナーケースと、前記両ケースの前記開口を開閉する蓋体を備えるカップホルダーであって、前記第３アウター側壁に近接して上下に延びる支持突部が前記第２，第４アウター側壁にそれぞれ形成され、前記第３アウター側壁に臨む係合凹部が前記各支持突部の上下方向中間部にそれぞれ形成され、前記支持突部の前記第３アウター側壁とは反対側の面に係合する段差部が前記第２，第４インナー側壁にそれぞれ形成されていると共に、前記係合凹部に係合する係合突部が前記第２，第４インナー側壁にそれぞれ形成されているカップホルダーとしたことを特徴とする。
【発明の効果】
【０００７】
この構成によれば、インナーケースをアウターケースから取り外して使用する場合、インナーケースの見栄えが向上する。
【発明を実施するための最良の形態】
【０００８】
以下、この発明の実施例を図面に基づいて説明する。
【０００９】
図１，図２において、１０はカップホルダーのアウターケース、１１はアウターケース１０内に嵌着されるカップホルダー１０のインナーケース、１２はケース１０，１１の蓋体である。
【００１０】
アウターケース１０は、図１，図２，図４，図５に示したように分割アウターケース１０ａ，１０ｂを備えている。しかも、分割ケース１０は、第１〜第４アウター側壁１３，１４，１５，１６から平面形状が方形に形成されていると共に上端が開口させられている。また、この側壁１４は分割アウターケース１０ａ側の分割側壁１４ａ及び分割アウターケース１０ｂ側の分割側壁１４ｂを有すると共に、側壁１６は分割アウターケース１０ａ側の分割側壁１６ａ及び分割アウターケース１０ｂ側の分割側壁１６ｂを有する。
【００１１】
また、第２，第４アウター側壁１４，１６には、図２，図４，図５，図７に示したようにアウターケース１０内に膨出し且つ第３アウター側壁１５に近接して上下に延びる支持突部１７，１７がそれぞれ形成されている。即ち、第２，第４アウター側壁１４，１６の分割側壁１４ａ，１６ａには、分割側壁１４ｂ，１６ｂ側端部に位置させてアウターケース１０内に膨出且つ上下に延びる支持突部１７，１７がそれぞれ形成されている。
【００１２】
この支持突部１７は、図２，図４に示したように、側壁１３側に位置する側壁部１７ａと、側壁部１７ａから側壁１５側に延びる側壁部１７ｂと、側壁１５側の側壁部１７ｃと、側壁部１７ｃから更に側壁１５側に延びる側壁部１７ｄを有する（図５参照）。また、支持突部１７の突出側とは反対側には上下に延びるガイド凹部１７ｅが形成されている。
【００１３】
尚、分割側壁１４ａ側の支持突部１７の側壁部１７ｃは側壁部１７ｂから分割側壁１４ｂに向けて延び、分割側壁１６ａ側の支持突部１７の側壁部１７ｃは側壁部１７ｂから分割側壁１６ｂに向けて延びている。しかも、各側壁部１７ｃの上下方向中間部には、図７に示したように係合凹部１８が形成されている（図５，図８参照）。
【００１４】
また、分割側壁１４ａ側の側壁部１７ｄと分割側壁１４ｂとの間及び分割側壁１６ａ側の側壁部１７ｄと分割側壁１６ｂとの間には図７に示した如くそれぞれ間隙１９，１９が形成されている（図５参照）。
【００１５】
更に、インナーケース１１は、図１〜図３に示したようにアウターケース１０の第１〜第４アウター側壁１３，１４，１５，１６にそれぞれ対応する第１〜第４インナー側壁２０，２１，２２，２３を有する。この第２，第４インナー側壁２１，２３には、図１，図２，図５に示したように支持突部１７，１７の第３アウター側壁１５とは反対側の側壁部１７ａ，１７ａの面に係合させる段差部２１ａ，２３ａがそれぞれ形成されている。
【００１６】
また、第２，第４インナー側壁２１，２３には、図５に示したように段差部２１ａ，２３ａが第３アウター側壁１５とは反対側の側壁部１７ａ，１７ａの面に係合した状態で、係合凹部１８，１８に弾接係合する弾性片２４，２４が係合突部（弾性係合突部）としてそれぞれ形成されている。
【００１７】
更に、図２中、蓋体１２の両側部の下端近傍には図６に示したように同方向に突出する支持片２５，２５が一体に設けられ、この支持片２５，２５には互いに接近する方向に突出するガイド突起２６，２６が一体に形成されている。
【００１８】
しかも、図１，図４，図５に示したように、支持片２５，２５は間隙１９，１９を介して支持突部１７，１７のガイド凹部１７ｅ，１７ｅ側に向けて配設され、ガイド突起２６，２６はガイド凹部１７ｅ，１７ｅ内に配設されている。
【００１９】
次に、このような構成のカップホルダーの作用を説明する。
【００２０】
このようなカップホルダーにおいては、インナーケース１１をアウターケース１０内に挿入嵌合して、インナーケース１１の段差部２１ａ，２３ａを図５に示したように支持突部１７の第３アウター側壁１５とは反対側の側壁部１７ａ，１７ａの面に係合させると共に、インナーケース１１の弾性片２４，２４をアウターケース１０の係合凹部１８，１８に弾接係合させて使用する。
【００２１】
この状態では、インナーケース１１の段差部２１ａと弾性片２４がアウターケース１０の支持突部１７を挟持することで、挟持方向におけるインナーケース１１のアウターケース１０に対するガタツキが防止される。しかも、弾性片２４が図７，図８の如く係合凹部１８に係合することで、インナーケース１１の上下方向に対するガタツキも防止される。
【００２２】
また、不使用時には蓋体１２を上方に持ち上げることで、ガイド突起２６，２６が支持突部１７，１７のガイド凹部１７ｅ，１７ｅ内を上方に移動する。そして、ガイド突起２６，２６がガイド凹部１７ｅ，１７ｅ内の上端部近傍にきたときに、蓋体１２の上端を第１インナー側壁２０側に倒してインナーケース１１の上部開口端を閉成することができる。
【００２３】
そして、使用時には、蓋体１２の第１インナー側壁２０側端部を上方に持ち上げて、ガイド突起２６，２６をガイド凹部１７ｅ，１７ｅに沿って下方に移動させることにより、蓋体１２を図２の如く起立させて、インナーケース１１の上端を図１，図４の如く開口させる。この状態で、インナーケース１１内に飲料容器を載置させる。
【００２４】
尚、通常は、このようなインナーケース１１内に紙コップや飲料用の缶，飲料用のビン等その他の飲料容器を倒れないように保持させるための構造を施して使用する。
【００２５】
このような構造のインナーケース１１を有するアウターケース１０を例えば乗物の内装の一部に組み込んで使用すると良い。例えば、自動車等の車両であれば、センターコンソールやインストルメントパネル等に組み込んで使用することもできる。
【００２６】
また、インナーケース１１を取り外して使用することもできる。即ち、乗物等が移動中でなく停車又は駐車しているときに、インナーケース１１をアウターケース１０から取り外して車室内等の任意の場所において使用することもできる。このインナーケース１１をアウターケース１０から取り外しても、インナーケース１１には係止穴等がないので、見栄えが損なわれるようなことがない。
【００２７】
また、インナーケース１１をアウターケース１０から取り外して、アウターケース１０を小物入れに利用することもできる。
【００２８】
以上説明したように、この発明の実施の形態のカップホルダーは、第１〜第４アウター側壁１３〜１６から平面形状が方形に形成され且つ上端が開口させられたアウターケース１０と、第１〜第４インナー側壁２０〜２３から平面形状が方形に形成され且つ上端が開口させられていると共に前記アウターケース１０内に着脱可能に嵌合されたインナーケース１１と、前記両ケース１０，１１の前記開口を開閉する蓋体１２を備えている。また、前記第３アウター側壁１５に近接して上下に延びる支持突部１７，１７が前記第２，第４アウター側壁１４，１６にそれぞれ形成され、前記第３アウター側壁１５に臨む係合凹部１８，１８が前記各支持突部１７，１７の上下方向中間部にそれぞれ形成され、前記支持突部１７，１７の前記第３アウター側壁１５とは反対側の面に係合する段差部２１ａ，２３ａが前記第２，第４インナー側壁１４，１６にそれぞれ形成されていると共に、前記係合凹部１８，１８に係合する係合突部（弾性片２４，２４）が前記第２，第４インナー側壁１４，１６にそれぞれ形成されている。
【００２９】
この構成によれば、インナーケース１１をアウターケース１０から取り外して使用することができる。この場合、インナーケース１１に係止穴等がないので、インナーケース１１の見栄えが損なわれることなく向上する。また、インナーケース１１をアウターケース１０から取り外すことで、アウターケース１０を小物入れとして使用することもできる。
【００３０】
しかも、インナーケース１１の段差部２１ａ，２３ａを前記支持突部１７，１７の前記第３アウター側壁１５とは反対側の面に係合させると共に、インナーケース１１の係合突部（弾性片２４，２４）をアウターケース１０の各支持突部１７，１７に設けた係合凹部１８，１８に係合させることで、インナーケース１１の水平方向のガタツキ（遊び）を防止できる。また、インナーケース１１の係合突部（弾性片２４，２４）をアウターケース１０の各支持突部１７，１７に設けた係合凹部１８，１８に係合させることで、インナーケース１１の上下方向へのガタツキを防止できる。
【図面の簡単な説明】
【００３１】
【図１】この発明に係るカップホルダーの平面図である。
【図２】図１のカップホルダーの分解斜視図である。
【図３】図２のインナーケースの斜視図である。
【図４】図２のアウターケースの平面図である。
【図５】図１のインナーケースとアウターケースの係止部の要部断面図である。
【図６】図２の蓋体の斜視図である。
【図７】図１，図５のＡ１−Ａ１線における断面である。
【図８】図７のＡ２−Ａ２線に沿う断面図である。
【図９】カップホルダーの一例を示す分解斜視図である。
【符号の説明】
【００３２】
１０…アウターケース
１１…インナーケース
１２…蓋体
１３…第１アウター側壁
１４…第２アウター側壁
１５…第３アウター側壁
１６…第４アウター側壁
１７…支持突部
１８…係合凹部
２０…第１インナー側壁
２１…第２インナー側壁
２１ａ…段差部
２２…第３インナー側壁
２３…第４インナー側壁
２３ａ…段差部
２４…弾性片（係合突部）
【図１】
2005178495.tif 000003
【図２】
2005178495.tif 000004
【図３】
2005178495.tif 000005
【図４】
2005178495.tif 000006
【図５】
2005178495.tif 000007
【図６】
2005178495.tif 000008
【図７】
2005178495.tif 000009
【図８】
2005178495.tif 000010
【図９】
2005178495.tif 000011